(57)【要約】【課題】  マトリクス配列された複数の画素ユニットを含むディスプレイパネルの制御方法と装置を提供する。【解決手段】  複数のビデオ信号を受けるステップ、前記ビデオ信号とプリセットの配列順序を比較するステップ、前記ビデオ信号の配列順序が前記プリセットの配列順序と異なる時、極性を第１反転方法によって前記ビデオ信号に提供し、複数の第１データ信号を発生するステップ、前記ビデオ信号の配列順序が前記プリセットの配列順序に対応する時、極性を第２反転方法によって前記ビデオ信号に提供し、複数の第２データ信号を発生するステップ、および前記画素ユニットに前記第２データ信号を出力するステップを含むマトリクス配列された複数の画素ユニットを含むディスプレイパネルの制御方法。【選択図】      図９
2007183649.tif 000002
【特許請求の範囲】
【請求項１】
複数のビデオ信号を受けるステップ、
前記ビデオ信号とプリセットの配列順序を比較するステップ、
前記ビデオ信号の配列順序が前記プリセットの配列順序と異なる時、極性を第１反転方法によって前記ビデオ信号に提供し、複数の第１データ信号を発生するステップ、
前記ビデオ信号の配列順序が前記プリセットの配列順序に対応する時、極性を第２反転方法によって前記ビデオ信号に提供し、複数の第２データ信号を発生するステップ、および
前記画素ユニットに前記第２データ信号を出力するステップを含むマトリクス配列された複数の画素ユニットを含むディスプレイパネルの制御方法。
【請求項２】
前記第１反転は、ドット反転方法、列反転方法、または行反転方法である請求項１に記載の制御方法。
【請求項３】
前記反転方法が第１反転方法から第２反転方法に換える前記ビデオ信号に極性を提供した時、第１列の第１画素ユニットの極性が保持される請求項２に記載の制御方法。
【請求項４】
前記ビデオ信号の極性が前記第２反転方法によって制御される時、第２列の第２画素ユニットの極性は、第３列の第３画素ユニットの極性に対応し、第４列の第４画素ユニットの極性は、第５列の第５画素ユニットの極性に対応する請求項３に記載の制御方法。
【請求項５】
マトリクス配列された複数の画素ユニット、
前記画素ユニットに複数のスキャン信号を提供するゲートドライバ、および
前記画素ユニットに複数のデータ信号を提供する制御装置であって、
複数のビデオ信号を保存するレジスタ、
前記ビデオ信号に極性を提供し、前記データ信号を発生する処理ユニット、および
前記ビデオ信号の配列順序とプリセットの配列順序を比較し、前記検出の結果に基づいて、前記処理ユニットを制御する検出ユニットを含み、前記ビデオ信号の配列順序が前記プリセットの配列順序と異なる時、前記検出ユニットで制御された前記処理ユニットは、第１反転方法に基づいて前記極性を提供し、前記ビデオ信号の配列順序が前記プリセットの配列順序に対応する時、前記検出ユニットで制御された前記処理ユニットは、第２反転方法に基づいて前記極性を提供する制御装置を含む電子システム。
【請求項６】
前記第１反転は、ドット反転方法、列反転方法、または行反転方法である請求項５に記載の電子システム。
【請求項７】
前記処理ユニットの前記反転方法が第１反転方法から第２反転方法に換えられた時、第１列の第１画素ユニットの極性が保持される請求項６に記載の電子システム。
【請求項８】
前記処理ユニットが前記第２反転方法を用いて前記ビデオ信号の極性を制御する時、第２列の第２画素ユニットの極性は、第３列の第３画素ユニットの極性に対応し、第４列の第４画素ユニットの極性は、第５列の第５画素ユニットの極性に対応する請求項７に記載の電子システム。
【請求項９】
前記第２画素ユニットの極性は、前記第４画素ユニットの極性と異なる請求項８に記載の電子システム。
【請求項１０】
前記第２画素ユニットの極性は、前記第４画素ユニットの極性に対応する請求項８に記載の電子システム。
【発明の詳細な説明】
【技術分野】
【０００１】
本発明は、制御装置と制御方法に関し、特に、ディスプレイパネルに用いる制御装置と制御方法に関するものである。
【背景技術】
【０００２】
液晶ディスプレイは、薄型、軽量と低輻射の好ましい利点を有することから広く用いられている。ＬＣＤの寿命を縮める単一極性のバイアス電圧を連続的に受けることからＬＣＤを防ぐために、画素ユニットは、奇数と偶数フレームに対応して正と負のビデオ信号をそれぞれ受ける。
【０００３】
従来の反転方法は、フレーム（ｆｒａｍｅ）反転、行（ｃｏｌｕｍｎ）反転、列（ｒｏｗ）反転と、ドット（ｄｏｔ）反転を含む。
【０００４】
図１ａと図１ｂは、フレーム反転方法の概略図である。フレーム反転方法では、データ信号の特性は、同じフレームで同じだが、隣接のフレームでは異なる。仮に全ての画素ユニットがフレーム１０で正のデータ信号を受けた場合、画素ユニットは、隣接のフレーム１１で負のデータ信号を受ける。
【０００５】
図２ａと図２ｂは、行反転方法の概略図である。行反転方法では、同じフレームの同じ行は、データ信号のように同じ極性を有するが、その隣接の行に反対の極性を有する。フレーム２０では、奇数行の画素ユニットは、正のデータ信号を受け、偶数行の画素ユニットは、負のデータ信号を受ける。隣接のフレーム２１では、奇数行の画素ユニットは、負のデータ信号を受け、偶数行の画素ユニットは、正のデータ信号を受ける。
【０００６】
図３ａ、図３ｂは、列反転方法の概略図である。列反転方法では、同じフレームの同じ列は、同じ極性のデータ信号を有するが、隣接の列に反対の極性を有する。フレーム３０では、奇数行の画素ユニットは、正のデータ信号を受け、偶数列の画素ユニットは、負のデータ信号を受ける。隣接のフレーム３１では、奇数列の画素ユニットは、負のデータ信号を受け、偶数列の画素ユニットは、正のデータ信号を受ける。
【０００７】
図４ａ、図４ｂは、ドット反転方法の概略図である。ドット反転方法では、同じフレームのデータ信号の極性は、インターレース形式を成している。フレーム４０では、画素ユニット４０１は、正のデータ信号を受け、画素ユニット４０２〜４０５は、負のデータ信号を受ける。隣接のフレーム４１では、画素ユニット４０１は、負のデータ信号を受け、画素ユニット４０２〜４０５は、正のデータ信号を受ける。
【０００８】
フレームでは、仮に、データ信号の極性が繰り返し換えられた場合、ちらつき現象が生じ難い。よって、ちらつき現象は、ＬＣＤがフレーム反転方法を用いた時生じるが、ＬＣＤがドット反転方法を用いた時は生じ難い。
【０００９】
図５ａ〜図５ｄは、ドット反転方法を用いたＬＣＤのフレームを表している。×は、画素ユニットが受けたデータ信号を表しており、０に等しく、画素ユニットが画像を表示しない。図５ａと５ｂに示すように、画素ユニットが受けたデータ信号の極性は、フレーム５０で正であり、画像を表示する画素ユニットが受けたデータ信号の極性は、隣接のフレーム５１で負である。ＬＣＤがドット反転方法を用いているが、ちらつき現象がまだ生じる可能性がある。
【００１０】
フレーム５２の正のデータ信号を受ける画素ユニットの数が負のデータ信号を受ける画素ユニットの数を越えることから、隣接のフレーム５３の負のデータ信号を受ける画素ユニットの数は、正のデータ信号を受ける画素ユニットの数を越える。よって、ちらつき現象が生じる。
【発明の開示】
【発明が解決しようとする課題】
【００１１】
マトリクス配列された複数の画素ユニットを含むディスプレイパネルの制御方法と制御装置が提供される。
【課題を解決するための手段】
【００１２】
ディスプレイパネルの制御方法の実施例を下記に説明する。複数のビデオ信号が受けられる。ビデオ信号の配列順序とプリセットの配列順序が比較される。ビデオ信号の配列順序がプリセットの配列順序と異なる時、極性が第１反転方法によってビデオ信号に提供され、複数の第１データ信号を発生する。ビデオ信号の配列順序がプリセットの配列順序に対応する時、極性が第２反転方法によってビデオ信号に提供され、複数の第２データ信号を発生する。
【００１３】
ディスプレイパネルの制御装置の実施例は、レジスタ、処理ユニットと、検出ユニットを含む。レジスタは、複数のビデオ信号を保存する。処理ユニットは、極性をビデオ信号に提供し、複数のデータ信号を発生する。検出ユニットは、ビデオ信号の配列順序とプリセットの配列順序を比較し、検出の結果に基づいて、処理ユニットを制御する。ビデオ信号の配列順序がプリセットの配列順序と異なる時、検出ユニットで制御された処理ユニットは、第１反転方法に基づいて極性を提供する。ビデオ信号の配列順序がプリセットの配列順序に対応する時、検出ユニットで制御された処理ユニットは、第２反転方法に基づいて極性を提供する。
【００１４】
電子システムも提供する。電子システムの実施例は、複数の画素ユニット、ゲートドライバと、制御装置を含む。画素ユニットは、マトリクス配列される。ゲートドライバは、複数のスキャン信号を画素ユニットに提供する。制御装置は、複数のデータ信号を画素ユニットに提供し、レジスタ、処理ユニットと、検出ユニットを含む。レジスタは、複数のビデオ信号を保存する。処理ユニットは、極性をビデオ信号に提供し、複数のデータ信号を発生する。検出ユニットは、ビデオ信号の配列順序とプリセットの配列順序を比較し、検出の結果に基づいて、処理ユニットを制御する。ビデオ信号の配列順序がプリセットの配列順序と異なる時、検出ユニットで制御された処理ユニットは、第１反転方法に基づいて極性を提供する。ビデオ信号の配列順序がプリセットの配列順序に対応する時、検出ユニットで制御された処理ユニットは、第２反転方法に基づいて極性を提供する。
【発明の効果】
【００１５】
本発明の制御装置、制御方法と、デンシシステムによれば、従来のちらつき現象を生じ難くすることができる。
【発明を実施するための最良の形態】
【００１６】
本発明についての目的、特徴、長所が一層明確に理解されるよう、以下に実施形態を例示し、図面を参照にしながら、詳細に説明する。
【実施例】
【００１７】
図６は、電子システムの実施例の概略図である。電子システム６０は、ディスプレイ装置６１、ゲートドライバ６２と、制御装置６３を含む。ディスプレイ装置６１は、マトリクス配列された画素ユニット６１０を含む。ゲートドライバ６２は、スキャン信号Ｇ１〜Ｇｎを画素ユニット６１０に提供する。制御装置６３は、データ信号Ｄ１〜Ｄｍを画素ユニット６１０に提供し、データ信号Ｄ１〜Ｄｍの極性を制御する。
【００１８】
図７は、制御装置の実施例の概略図である。制御装置６３は、変換器７０、処理ユニット７１、レジスタ７２と、検出ユニット７３を含む。
【００１９】
変換器７０は、アナログ信号ＶＧＡを処理し、ビデオ信号Ｉ１〜Ｉｍを発生する。レジスタ７２は、ビデオ信号Ｉ１〜Ｉｍを保存する。検出ユニット７３は、保存したビデオ信号Ｉ１〜Ｉｍに基づいて、制御信号Ｓｃを処理ユニット７１に出力する。この実施例では、プリセットの配列順序が検出ユニット７３に保存される。プリセットの配列順序は、ちらつき現象が生じ易いビデオ信号の配列順序を示している。検出ユニット７３は、保存したビデオ信号Ｉ１〜Ｉｍの配列順序とプリセットの配列順序を比較し、検出の結果に基づいて、制御信号Ｓｃに出力する。処理ユニット７１は、制御信号Ｓｃに基づいて、極性をビデオ信号Ｉ１〜Ｉｍに提供し、データ信号Ｄ１〜Ｄｍを発生する。
【００２０】
仮に、画素ユニットが受けたデータ信号の配列順序が図５ａに示す配列順序に対応する場合、フレームが切り換えられた時、ちらつき現象が生じる。よって、図５ａに示す配列順序は、プリセットの配列順序として働き、保存したビデオ信号Ｉ１〜Ｉｍの配列順序を検出し、図５ａに示す配列順序に対応するかどうかを判定する。
【００２１】
ビデオ信号Ｉ１〜Ｉｍの配列順序がプリセットの配列順序と異なる時、検出ユニット７３は、制御信号Ｓｃを提供し、処理ユニット７１が第１反転方法に基づいて、極性をビデオ信号Ｉ１〜Ｉｍに提供する。この実施例では、処理ユニット７１が第１反転方法に基づいて、極性をビデオ信号Ｉ１〜Ｉｍに提供し、データ信号Ｄ１〜Ｄｍを発生した時、データ信号Ｄ１〜Ｄｍは、第１データ信号と呼ばれる。
【００２２】
ビデオ信号Ｉ１〜Ｉｍの配列順序がプリセットの配列順序に対応する時、検出ユニット７３は、制御信号Ｓｃを提供し、処理ユニット７１が第２反転方法に基づいて、極性をビデオ信号Ｉ１〜Ｉｍに提供する。この実施例では、処理ユニット７１が第２反転方法に基づいて、極性をビデオ信号Ｉ１〜Ｉｍに提供し、データ信号Ｄ１〜Ｄｍを発生した時、データ信号Ｄ１〜Ｄｍは、第２データ信号と呼ばれる。
【００２３】
処理ユニット７１がドット反転方法に基づいて、極性をビデオ信号Ｉ１〜Ｉｍに提供し、データ信号Ｄ１〜Ｄｍを発生すると仮定する。ビデオ信号Ｉ１〜Ｉｍの配列順序がプリセットの配列順序に対応する時、処理ユニット７１は、その他の反転方法に基づいて、極性をビデオ信号Ｉ１〜Ｉｍに提供する。
【００２４】
図８は、もう１つの反転方法の実施例の概略図である。レジスタ７２に保存されたビデオ信号Ｉ１〜Ｉｍの配列順序が図５ａに示す配列順序に対応する時、処理ユニット７１は、図８に示す反転方法を用いて極性を隣接のフレームのビデオ信号Ｉ１〜Ｉｍに提供する。
【００２５】
図８に示すように、処理ユニット７１で用いられた反転方法がドット反転から第２反転方法に換えられるが、第１列の画素ユニットが受けた極性は、保持される。または、フレーム８０の第１列の極性は、フレーム５０の第１列と同じである。フレーム８０では、第２列の画素ユニットが受けた極性は、第３列の画素ユニットが受けた極性と同じである。フレーム８０では、第４列の画素ユニットが受けた極性は、第５列の画素ユニットが受けた極性と同じである。
【００２６】
例えば、画素ユニット８０１と８０２が受けたデータ信号の極性は、負であり、画素ユニット８０３と８０４が受けたデータ信号の極性は、正であり、画素ユニット８０１と８０３は、画像を表示しない。この実施例では、第２列の画素ユニットが受けた極性は、第４列の画素ユニットが受けた極性と異なる。いくつかの実施例では、第２列の画素ユニットが受けた極性は、第４列の画素ユニットが受けた極性と同じである。
【００２７】
図９は、制御方法の実施例の流れ図である。図６を合わせて参照下さい。ビデオ信号Ｉ１〜Ｉｍが受けられる（ステップ９００）。この実施例では、レジスタ７２は、変換器７０から出力されたビデオ信号Ｉ１〜Ｉｍを受けて保存する。
【００２８】
ビデオ信号Ｉ１〜Ｉｍの配列順序が検出される（ステップ９１０）。この実施例では、検出ユニット７３は、保存されたビデオ信号Ｉ１〜Ｉｍをプリセットの配列順序と比較する。
【００２９】
ビデオ信号Ｉ１〜Ｉｍの配列順序がプリセットの配列順序と異なる時、極性が第１反転方法に基づいて、ビデオ信号Ｉ１〜Ｉｍに提供され（ステップ９２０）、データ信号Ｄ１〜Ｄｍが画素ユニットに発生される（ステップ９４０）。
【００３０】
ビデオ信号Ｉ１〜Ｉｍの配列順序がプリセットの配列順序に対応する時、極性が第２反転方法に基づいて、ビデオ信号Ｉ１〜Ｉｍに提供され（ステップ９３０）、データ信号Ｄ１〜Ｄｍが画素ユニットに発生される（ステップ９４０）。
【００３１】
検出ユニット７３に保存されたプリセットの配列順序が図５ａに示す配列順序に対応し、処理ユニット７１がドット反転方法に基づいて、極性をビデオ信号Ｉ１〜Ｉｍに提供すると仮定する。レジスタ７２に保存されたビデオ信号Ｉ１〜Ｉｍの配列順序が図５ａに示す配列順序と異なる場合、処理ユニット７１は、ドット反転方法を連続的に用い、極性を提供する。レジスタ７２に保存されたビデオ信号Ｉ１〜Ｉｍの配列順序が図５ａに示す配列順序に対応する時、処理ユニット７１が用いた反転方法は、ドット反転方法から図８に示す反転方法に換える。
【００３２】
以上、本発明の好適な実施例を例示したが、これは本発明を限定するものではなく、本発明の精神及び範囲を逸脱しない限りにおいては、当業者であれば行い得る少々の変更や修飾を付加することは可能である。従って、本発明が保護を請求する範囲は、特許請求の範囲を基準とする。
【図面の簡単な説明】
【００３３】
【図１ａ】フレーム反転方法の概略図である。
【図１ｂ】フレーム反転方法の概略図である。
【図２ａ】行反転方法の概略図である。
【図２ｂ】行反転方法の概略図である。
【図３ａ】列反転方法の概略図である。
【図３ｂ】列反転方法の概略図である。
【図４ａ】ドット反転方法の概略図である。
【図４ｂ】ドット反転方法の概略図である。
【図５ａ】ドット反転方法を用いたＬＣＤのフレームを表している。
【図５ｂ】ドット反転方法を用いたＬＣＤのフレームを表している。
【図５ｃ】ドット反転方法を用いたＬＣＤのフレームを表している。
【図５ｄ】ドット反転方法を用いたＬＣＤのフレームを表している。
【図６】電子システムの実施例の概略図である。
【図７】制御装置の実施例の概略図である。
【図８】もう１つの反転方法の実施例の概略図である。
【図９】制御方法の実施例の流れ図である。
【符号の説明】
【００３４】
１０、１１、２０、２１、３０、３１、４０、４１、５０〜５３、８０  画面
４０１〜４０５、６１０、８０１〜８０４  画素ユニット
６０  電子システム
６１  ディスプレイ装置
６２  ゲートドライバ
６３  制御装置
Ｇ１〜Ｇｎ  スキャン信号
Ｄ１〜Ｄｍ  データ信号
Ｉ１〜Ｉｍ  ビデオ信号
７０  変換器
７１  処理ユニット
７２  レジスタ
７３  検出ユニット
９００〜９３０  ステップ
【図１ａ】
2007183649.tif 000003
【図１ｂ】
2007183649.tif 000004
【図２ａ】
2007183649.tif 000005
【図２ｂ】
2007183649.tif 000006
【図３ａ】
2007183649.tif 000007
【図３ｂ】
2007183649.tif 000008
【図４ａ】
2007183649.tif 000009
【図４ｂ】
2007183649.tif 000010
【図５ａ】
2007183649.tif 000011
【図５ｂ】
2007183649.tif 000012
【図５ｃ】
2007183649.tif 000013
【図５ｄ】
2007183649.tif 000014
【図６】
2007183649.tif 000015
【図７】
2007183649.tif 000016
【図８】
2007183649.tif 000017
【図９】
2007183649.tif 000018
【外国語明細書】
2007183649000001.pdf